【手続補正書】
【提出日】平成20年2月25日(2008.2.25)
【手続補正１】
【補正対象書類名】特許請求の範囲
【補正対象項目名】全文
【補正方法】変更
【補正の内容】
【特許請求の範囲】
【請求項１】
流体（２）用のネブライザ（１）であって、前記流体（２）を収容する容器（３）を有し、前記流体（２）を運搬、及び、霧化のうちの少なくとも一方を行う圧力発生器（５）を有し、前記ネブライザ（１）の作動をカウントするモニタ装置（２０）を有するネブライザにおいて、
前記モニタ装置（２０）は、前記ネブライザ（１）の取り外し可能なハウジング部分に取り付けられ、及び、前記流体（２）の実際の小出しを検出できる構成のうちの少なくとも一方の構成で形成され、特に前記ネブライザ（１）の作動として電気的にカウントできるように構成し、及び、前記モニタ装置（２０）は、特に前記ネブライザ（１）の作動回数及び作動時間を検出し、そして記憶する構成のうちの少なくとも一方の構成で形成され、又は、所定の最短期間内での前記ネブライザ（１）の作動の繰り返しを阻止することができ、及び、所定の最長期間の経過後、前記ネブライザ（１）の新たな作動のためのリマインダー信号を出力又は表示できる構成のうちの少なくとも一方の構成のタイマ（３３）及びメモリ（３４）を有している、
ことを特徴とするネブライザ。
【請求項２】
前記ネブライザ（１）は、詳細には前記容器（３）の挿入のため、解放可能であり任意的には交換可能である作動部材（１５）を有することを特徴とする、請求項１に記載のネブライザ。
【請求項３】
前記作動部材（１５）は、前記圧力発生器（５）を作動させ、具体的には、緊張させるように回転可能であることを特徴とする、請求項２に記載のネブライザ。
【請求項４】
前記作動部材（１５）は、前記ネブライザ（１）のキャップ状の外側ハウジング部分を形成し、及び、前記容器（３）を少なくともに部分的に直接覆う構成のうちの少なくとも一方の構成で形成されることを特徴とする、請求項２又は３に記載のネブライザ。
【請求項５】
前記容器（３）は、前記作動部材（１５）を作動させると、前記作動部材（１５）内に動くことができることを特徴とする、請求項２から４のいずれか１項に記載のネブライザ。
【請求項６】
前記モニタ装置（２０）は、前記作動部材（１５）に取り付けられ、具体的には、前記作動部材（１５）内に組み込まれていることを特徴とする、請求項２から５のいずれか１項に記載のネブライザ。
【請求項７】
前記モニタ装置（２０）は、前記作動部材（１５）の軸領域又は端部領域に設けられていることを特徴とする、請求項６に記載のネブライザ。
【請求項８】
前記モニタ装置（２０）は、前記容器（３）の端部領域、特に容器ベース（１８）に隣接し、及び、前記容器（３）の運動方向の延長上に配置されるのうちの少なくとも一方の構成で形成されることを特徴とする、請求項１から７のいずれか１項に記載のネブライザ。
【請求項９】
前記ネブライザ（１）は、前記モニタ装置（２０）を取り付け、又は、組み込み、及び、前記モニタ装置（２０）をオンに切り換えたときのうちの少なくとも一つにおいて作動可能であることを特徴とする、請求項１から８のいずれか１項に記載のネブライザ。
【請求項１０】
前記容器（３）は、前記ネブライザ（１）を作動させたときに特に軸線方向に動くことができ、
前記モニタ装置（２０）は、前記容器（３）の運動を直接検出し、該運動を前記流体（２）の小出しとして評価し、任意的にカウントすることを特徴とする、請求項１から９のいずれか１項に記載のネブライザ。
【請求項１１】
前記モニタ装置（２０）は、機械的、光学的、電気的、誘導的、容量的、及び、他の無接触方式のうちの少なくとも一つの手段によって前記容器（３）の運動を検出することを特徴とする、請求項１９に記載のネブライザ。
【請求項１２】
前記モニタ装置（２０）は、前記容器（３）の運動を検出するマイクロスイッチ（２１）又は他のスイッチ若しくはセンサを有することを特徴とする、請求項１０又は１１に記載のネブライザ。
【請求項１３】
前記マイクロスイッチ（２１）、又は、他のスイッチ、若しくは、センサは、ばね（１７）によって前記容器（３）によって動作可能であることを特徴とする、請求項１２に記載のネブライザ。
【請求項１４】
前記モニタ装置（２０）は、前記圧力発生器（５）の緊張又は作動中、及び、前記流体（２）の運搬又は霧化中のうちの少なくとも一つにおいて、前記容器（３）の運動を検出するよう設計されることを特徴とする、請求項１０から１３のいずれか１項に記載のネブライザ。
【請求項１５】
前記モニタ装置（２０）は、端位置に到達し、又は、これから出て行く前記容器（３）を検出することを特徴とする、請求項１０から１４のいずれか１項に記載のネブライザ。
【請求項１６】
前記モニタ装置（２０）は、前記容器（３）が交換されたとき、数値を、特に接触スイッチ（２４）によって手動又は自動的にリセットし、前記ネブライザ（１）がいったん組み立てられると、特にリセットを阻止する一方、特に取り付けられている容器（３）に関して既に行われた前記ネブライザ（１）の作動において、及び、依然として作動可能であるうちの少なくとも一方において、前記ネブライザ（１）の作動をカウントし、表示し又は示すことを特徴とする、請求項１から１５のいずれか１項に記載のネブライザ。
【請求項１７】
前記モニタ装置（２０）は、特にネブライザ（１）の最後の作動からの経過時間、ネブライザ（１）の次の作動まで残っている時間、既に生じたネブライザ（１）の作動回数、依然として可能なネブライザ（１）の作動回数、依然として実施されるべきネブライザ１の作動回数、容器を交換した事実又は容器を交換する必要のあること、流体レベル、容器の識別、及び、流体の表示のうちの少なくとも一つを指示する光学的指示装置（２５）を有することを特徴とする、請求項１から１６のいずれか１項に記載のネブライザ。
【請求項１８】
前記モニタ装置（２０）は、特にネブライザ（１）を作動させるリマインダー信号を出力し、及び、進行中の霧化プロセス、及び、完了した霧化プロセスのうちの少なくとも一方を指示する音響的指示装置（２６）、圧電信号送信器を有することを特徴とする、請求項１から１７のいずれか１項に記載のネブライザ。
【請求項１９】
前記モニタ装置（２０）は、前記モニタ装置（２０）をオンに切り換えたときにのみ接続されるエネルギー貯蔵手段、具体的には、バッテリ（２７）を有することを特徴とする、請求項１から１８のいずれか１項に記載のネブライザ。
【請求項２０】
前記バッテリ（２７）は、モニタ装置がオンに切り換えられた後、モニタ装置が少なくとも１年間は動作状態のままであるような容量を有することを特徴とする、請求項１９記載のネブライザ。
【請求項２１】
前記モニタ装置（２０）は、特に前記モニタ装置（２０）をオンに切り換え、初期設定し、プログラムし、設定し、リセットし、及び、前記モニタ装置に問い合わせる構成のうちの少なくとも一つを行い、純粋に光学式のインターフェイス（２８）である発光ダイオードを有することを特徴とする、請求項１から２０のいずれか１項に記載のネブライザ。
【請求項２２】
前記モニタ装置（２０）は、前記モニタ装置が前記ネブライザ（１）に組み付けられたとき、前記容器（３）が最初に挿入されたとき、前記圧力発生器（５）が最初に引っ張られ又は作動されたとき、及び、前記モニタ装置がインターフェイス（２８）により初期設定された場合のうちの少なくとも一方において、オンに切り換えられるよう構成されていることを特徴とする、請求項１から２１のいずれか１項に記載のネブライザ。
【請求項２３】
前記モニタ装置（２０）は、いったんオンに切り換えられると、再びオフに切り換えできないように構成されていることを特徴とする、請求項１から２２のいずれか１項に記載のネブライザ。
【請求項２４】
前記タイマ（３３）は、相対時間のみを測定することを特徴とする、請求項１から２３のいずれか１項に記載のネブライザ。
【請求項２５】
前記タイマ（３３）による前記相対時間測定の絶対的な開始を、始動時又は前記モニタ装置（２０）を最初にオンに切り換えたとき、メモリ（３４）に記録でき又は固定できることを特徴とする、請求項２４記載のネブライザ。
【請求項２６】
前記タイマ（３３）による前記相対時間測定の絶対的な終了を、絶対的なタイムベースとの比較により、前記モニタ装置（２０）の問い合わせ時に固定できることを特徴とする、請求項２４又は２５記載のネブライザ。
【請求項２７】
前記メモリ（３４）は、少なくとも前記ネブライザ（１）のユーザによっては消去できず又は改変できないことを特徴とする、請求項２４から２６のいずれか１項に記載のネブライザ。
【請求項２８】
前記モニタ装置（２０）は、前記モニタ装置（２０）、前記ネブライザ（１）、及び、ユーザのうちの少なくとも一つを識別する、問い合わせ可能な識別子を有することを特徴とする、請求項１から２７のいずれか１項に記載のネブライザ。
【請求項２９】
前記ネブライザ（１）、及び、前記モニタ装置（２０）のうちの少なくとも一方は、用いられた前記容器（３）を前記モニタ装置（２０）により自動的に識別し、前記容器の識別を特に前記メモリに記憶できるよう構成されていることを特徴とする、請求項１から２８のいずれか１項に記載のネブライザ。
【請求項３０】
前記モニタ装置（２０）は、特に前記モニタ装置（２０）をオンに切り換え、初期設定し、プログラムし、設定し、リセットし、及び、前記モニタ装置に問い合わせる構成のうちの少なくとも一つの構成を有する入力装置（３５）を有することを特徴とする、請求項１から２９のいずれか１項に記載のネブライザ。
【請求項３１】
前記ネブライザ（１）は、特にマウスピース（３７）の付近の空気供給流れを検出する受信センサ（３８）を有し、前記受信センサ（３８）からの信号を前記モニタ装置（２０）に検出させることを特徴とする、請求項１から３０のいずれか１項に記載のネブライザ。
【請求項３２】
前記空気の供給流れを吸入時に前記ネブライザ（１）のユーザにより生じさせることができることを特徴とする、請求項３１に記載のネブライザ。
【請求項３３】
前記モニタ装置（２０）は、前記受信センサ（３８）からの信号を、特に特定の霧化プロセス中、及び、各々の霧化プロセス後のうちの少なくとも一方において、吸入の十分な強度、及び、十分な持続時間のうちの少なくとも一方の観点で評価し、これら信号を前記流体（２）の首尾よく行われた吸入、又は、前記流体（２）の実際の小出しとして、記憶、表示、及び、カウントのうちの少なくとも一つを行うことを特徴とする、請求項３１又は３２に記載のネブライザ。
【請求項３４】
前記受信センサ（３８）は、前記ネブライザ（１）に設けられた空気供給開口部（３９）と関連していることを特徴とする、請求項３１から３３のいずれか１項に記載のネブライザ。
【請求項３５】
弁（４１）が、前記空気供給開口部（３９）と関連しており、前記受信センサ（３８）は、前記弁（４１）の弁要素（４２）の運動を検出することを特徴とする、請求項に３４記載のネブライザ。
【請求項３６】
前記受信センサ（３８）は、特に流れ方向、流速、流量、及び、質量流量のうちの少なくとも一つを検出するフローセンサとして構成されていることを特徴とする、請求項３１から３５のいずれか１項に記載のネブライザ。
【請求項３７】
前記ネブライザ（１）は、前記ネブライザ（１）の作動時に、霧化された流体（２）、又は、エーロゾル（４０）が、特にマウスピース（３７）の付近で実際に作られ、又は、放出されたかどうかを検出するスプレーセンサ（４３）を有することを特徴とする、請求項１から３５のいずれか１項に記載のネブライザ。
【請求項３８】
前記スプレーセンサ（４３）は、散乱光センサとして動作することを特徴とする、請求項３７に記載のネブライザ。
【請求項３９】
前記モニタ装置（２０）は、前記スプレーセンサ（４３）により検出された霧化流体（２）又はエーロゾル（４０）の生成を、前記流体（２）の実際の小出しであるとしてカウントすることを特徴とする、請求項３７又は３８に記載のネブライザ。
【請求項４０】
前記モニタ装置（２０）は、霧化流体（２）、又は、エーロゾル（４０）の生成が特に時間窓内で前記スプレーセンサ（４３）により検出された場合にのみ、前記ネブライザ（１）の作動を前記流体（２）の実際の小出しとしてカウントすることを特徴とする、請求項３９に記載のネブライザ。
【請求項４１】
前記圧力発生器（５）は、機械的にのみ動作し、特にばね力に抗して、手動で動作できることを特徴とする、請求項１から４０のいずれか１項に記載のネブライザ。
【請求項４２】
圧力発生、又は、霧化は、ばね力によって純粋に機械的に実施されることを特徴とする、請求項１から４１のいずれか１項に記載のネブライザ。
【請求項４３】
前記ネブライザ（１）は、特に医学的エーロゾル治療用吸入器として構成されていることを特徴とする、請求項１から４２のいずれか１項に記載のネブライザ。